(57)【特許請求の範囲】
【請求項１】
ディスプレイ部と；
入力映像信号を増幅して前記ディスプレイ部に送る増幅部と；
前記入力映像信号の水平同期信号または垂直同期信号のうちのいずれか一つの周期に連動してクロック信号を発生するクロック信号発生器と；
前記クロック信号発生器からのクロック信号に連動して前記ディスプレイ部の輝度が所定の範囲内で前記水平同期信号または前記垂直同期信号のうちのいずれか一つの周期毎に交互に増幅されるように前記増幅部による増幅比率を制御する制御部と；
前記ディスプレイ部に入力映像信号を表示するための電子ビームを放出する電子銃と；
前記電子銃に高電圧を供給するためのフライバックトランスと；を含み，
前記制御部は，
前記クロック信号発生器からのクロック信号に連動して，前記ディスプレイ部の輝度が所定の範囲内で交互に増幅されるように前記フライバックトランスから出力される電圧レベルを調節する
ことを特徴とするディスプレイ装置。
【請求項２】
前記制御部は，
前記クロック信号発生器からのクロック信号に連動して，前記水平同期信号の周期に従って前記ディスプレイ部の輝度とコントラストが交互に増幅されるように，前記増幅部による増幅比率と前記フライバックトランスによる電圧レベルとを制御する
ことを特徴とする請求項１に記載のディスプレイ装置。
【請求項３】
前記クロック信号発生器は，
前記映像信号の水平同期信号の周期に従ってクロック信号を発生させる第１信号発生部と；
前記映像信号の垂直同期信号または水平同期信号のうちのいずれか一つの周期に従ってクロック信号を発生させる第２信号発生部と；
を含むことを特徴とする請求項１に記載のディスプレイ装置。
【請求項４】
前記制御部は，
前記第１信号発生部から発生されたクロック信号に連動して，前記水平同期信号の周期に従って前記増幅部の増幅比率を増減させることにより，前記映像信号のコントラストを調節する
ことを特徴とする請求項３に記載のディスプレイ装置。
【請求項５】
前記制御部は，
前記第２信号発生部から発生されたクロック信号に連動して，
前記垂直同期信号の一周期の間には前記電圧レベルを上昇させて前記映像信号の輝度が明るくなるようにし，
次周期の間には前記電圧レベルを下降させて前記輝度が暗くなるようにする
ことを特徴とする請求項４に記載のディスプレイ装置。
【請求項６】
前記制御部は，
前記垂直同期信号の一周期の間には前記増幅部の増幅比率を減少させて，前記コントラストが弱くなるようにし，
次周期の間には前記増幅部の増幅比率を増加させて，前記コントラストが強くなるようにする
ことを特徴とする請求項２に記載のディスプレイ装置。
【請求項７】
前記制御部は，
前記第１信号発生部及び前記第２信号発生部から発生されたクロック信号を受けて，
前記水平同期信号の周期に従って前記増幅部の増幅比率を交互に増減させ，前記水平同期信号の周期に従って前記電圧レベルを前記増幅比率に連動して増減させる
ことを特徴とする請求項２に記載のディスプレイ装置。
【請求項８】
前記制御部は，
任意の垂直同期信号の周期で，前記水平同期信号の偶数番目の周期毎に前記映像信号の輝度が明るくなるように前記電圧レベルを上昇させ，
次の垂直同期信号の周期で，前記水平同期信号の偶数番目の周期毎に前記映像信号の輝度が暗くなるように前記電圧レベルを下降させる
ことを特徴とする請求項２に記載のディスプレイ装置。
【請求項９】
前記制御部は，
任意の垂直同期信号の周期で，前記水平同期信号の偶数番目の周期毎に，前記コントラストが弱くなるように前記増幅部の増幅比率を減少させ，
次の垂直同期信号の周期で，前記水平同期信号の偶数番目の周期毎に，前記コントラストが強くなるように前記増幅部の増幅比率を増加させる
ことを特徴とする請求項８に記載のディスプレイ装置。
【請求項１０】
前記制御部は，
任意の垂直同期信号の周期で，前記水平同期信号の偶数番目の周期毎に，前記映像信号の輝度は明るくなり前記コントラストは強くなるように前記電圧レベルを上昇させ，前記増幅部の増幅比率を増加させ，
次の垂直同期信号の周期で，前記水平同期信号の偶数番目の周期毎に，前記映像信号の輝度は暗くなり前記コントラストは弱くなるように前記電圧レベルを下降させ，前記増幅部の増幅比率を減少させる
ことを特徴とする請求項２に記載のディスプレイ装置。
【請求項１１】
動画モードを選択するための選択部をさらに含み，
前記制御部は，前記選択部を通じた動画モードの選択時に，前記クロック信号発生器を動作させる
ことを特徴とする請求項１に記載のディスプレイ装置。
【発明の詳細な説明】
【０００１】
【発明の属する技術分野】
本発明は，動画を鮮やかにかつ明るく表示することができ，しかも長寿命のディスプレイ装置に関する。
【０００２】
【従来の技術】
一般にディスプレイ装置は，図５に示すように，コンピュータ５０から提供される映像信号を増幅する複数の信号増幅器（プリアンプ５６，メインアンプ５７）と，信号増幅器５６，５７により増幅された映像信号を表示するディスプレイ部５３と，信号増幅器から送られる電流を制御して映像信号のゲインレベルを調節するＡＢＬ（Ａｕｔｏ  Ｂｒｉｇｈｔｎｅｓｓ  Ｌｉｍｉｔ）信号を発生させるとともに，電子銃に高電圧を提供するためのフライバックトランス（ＦＢＴ；Ｆｌｙｂａｃｋ  Ｔｒａｎｓｆｏｒｍｅｒ）６５と，コンピュータ５０から送られた映像信号の垂直同期信号と水平同期信号とに従って，垂直及び水平のブランク信号を発生させる制御部６０とを含む。
【０００３】
この種のディスプレイ装置は，図６に示すように，信号増幅器５６，５７を通過しながら水平出力波形が出力され，Ｇ１電圧により垂直出力波形が出力される。水平出力波形の出力電圧ゲインに従ってコントラスト（ｃｏｎｔｒａｓｔ）が調節され，出力電圧ゲインが大きい程コントラストが強く（鮮やかに）なり，出力電圧ゲインが小さい程コントラストが弱くなる。また，水平出力波形のカットオフ電圧と垂直出力波形のＧ１電圧との電圧幅に従って輝度（ｂｒｉｇｈｔｎｅｓｓ）が調節され，電圧幅が小さければ画面が明るくなり，電圧幅が大きければ画面が暗くなる。
【０００４】
コンピュータの出力機器として使用されるディスプレイ装置（モニター）は，テレビジョンに比べてユーザーに近い距離に置かれて使用され，しかも，テレビジョンより高周波で動作される。このため，ディスプレイ装置の寿命を延ばし，また，ユーザーの疲労を減らすために，ディスプレイ装置のコントラストや輝度は，テレビジョンより低く設定されている。
【０００５】
このようなディスプレイ装置で動画を表示する場合，コントラストや輝度が低いので，動画が鮮やかに見えなかったり，暗く見えたりする。最近，インターネットが大衆化されることにより，インターネットを通じて様々な動画のコンテンツが提供されており，ディスプレイ装置を通じてテレビジョンのような鮮やかさと輝度とを有する動画が要求されている。
【０００６】
動画を出力する際に，水平出力波形の出力電圧ゲインを増加させてコントラストを強くしたり，垂直出力波形のＧ１電圧を高めて輝度を明るくしたりすることにより，動画を鮮やかに明るく表示することができるようにした方法が提示されている。
【０００７】
【発明が解決しようとする課題】
ところが，このように水平出力波形のゲインを増加させたり，Ｇ１電圧を高めたりする場合，ディスプレイ装置の回路上に無理が発生して，ディスプレイ装置の寿命が短かくなってしまうという問題があった。
【０００８】
本発明は，上記従来の問題を解決し，寿命を短縮させることなく，動画を鮮やかにかつ明るく表示することができるディスプレイ装置を提供することを目的とする。
【０００９】
【課題を解決するための手段】
上記目的を達成するための本発明のディスプレイ装置は，ディスプレイ部と；入力映像信号を増幅してディスプレイ部に送る増幅部と；入力映像信号の水平同期信号または垂直同期信号のうちのいずれか一つの周期に連動してクロック信号を発生するクロック信号発生器と；クロック信号発生器からのクロック信号に連動してディスプレイ部の輝度が所定の範囲内で水平同期信号または垂直同期信号のうちのいずれか一つの周期毎に交互に増幅されるように増幅部による増幅比率を制御する制御部と；を含むことを特徴とする。
【００１０】
このような構成により，動画を鮮やかにかつ明るく表示することができ，しかも寿命が短くなることがない。
【００１１】
このような構成でさらに，ディスプレイ部に入力映像信号を表示するための電子ビームを放出する電子銃と；電子銃に高電圧を供給するためのフライバックトランスと；を含み，制御部は，クロック信号発生器からのクロック信号に連動して，ディスプレイ部の輝度が所定の範囲内で交互に増幅されるようにフライバックトランスから出力される電圧レベルを調節するように構成してもよい。
【００１２】
また，前記制御部は，クロック信号発生器からのクロック信号に連動して，水平同期信号の周期に従ってディスプレイ部の輝度とコントラストが交互に増幅されるように，増幅部による増幅比率とフライバックトランスによる電圧レベルとを制御するように構成してもよい。
【００１３】
また，前記クロック信号発生器は，映像信号の水平同期信号の周期に従ってクロック信号を発生させる第１信号発生部と；映像信号の垂直同期信号または水平同期信号のうちのいずれか一つの周期に従ってクロック信号を発生させる第２信号発生部と；を含むことが好ましい。
【００１４】
また，前記制御部は，第１信号発生部から発生されたクロック信号に連動して，水平同期信号の周期に従って増幅部の増幅比率を増減させることにより，映像信号のコントラストを調節することができる。
【００１５】
また，前記制御部は，第２信号発生部から発生されたクロック信号に連動して，垂直同期信号の一周期の間には電圧レベルを上昇させて映像信号の輝度が明るくなるようにし，次周期の間には電圧レベルを下降させて輝度が暗くなるようにすることができる。
【００１６】
また，前記制御部は，垂直同期信号の一周期の間には増幅部の増幅比率を減少させてコントラストが弱くなるようにし，次周期の間には増幅部の増幅比率を増加させてコントラストが強くなるようにすることができる。
【００１７】
また，前記制御部は，第１信号発生部及び第２信号発生部から発生されたクロック信号を受けて，水平同期信号の周期に従って増幅部の増幅比率を交互に増減させ，水平同期信号の周期に従って電圧レベルを増幅比率に連動して増減させることが好ましい。
【００１８】
また，前記制御部は，任意の垂直同期信号の周期で，水平同期信号の偶数番目の周期毎に映像信号の輝度が明るくなるように電圧レベルを上昇させ，次の垂直同期信号の周期で，水平同期信号の偶数番目の周期毎に映像信号の輝度が暗くなるように電圧レベルを下降させることができる。
【００１９】
また，前記制御部は，任意の垂直同期信号の周期で，水平同期信号の偶数番目の周期毎に，コントラストが弱くなるように増幅部の増幅比率を減少させ，次の垂直同期信号の周期で，水平同期信号の偶数番目の周期毎に，コントラストが強くなるように増幅部の増幅比率を増加させることができる。
【００２０】
また，前記制御部は，任意の垂直同期信号の周期で，水平同期信号の偶数番目の周期毎に，映像信号の輝度は明るくなり，コントラストは強くなるように電圧レベルを上昇させ，増幅部の増幅比率を増加させ，次の垂直同期信号の周期で，水平同期信号の偶数番目の周期毎に，映像信号の輝度は暗くなり，コントラストは弱くなるように電圧レベルを下降させ，増幅部の増幅比率を減少させることができる。
【００２１】
また，上記いずれかの構成でさらに，動画モードを選択するための選択部を加えることで，制御部はこの選択部を通じた動画モードの選択時に，前記クロック信号発生器を動作させることができる。
【００２２】
【発明の実施の形態】
以下に，本発明のいくつかの実施形態を，図面を用いて説明する。なお，本明細書及び図面において，実質的に同一の機能構成を有する構成要素については，同一の符号を付することにより重複説明を省略する。
【００２３】
（第１の実施形態）
本実施形態によるディスプレイ装置は，図１に示すように，コンピュータ５０から提供される映像信号が表示されるディスプレイ部３と；予め設定された増幅比率で映像信号を増幅する増幅部５と；電子銃に高電圧を提供するためのフライバックトランス１５と；ディスプレイ部３に走査される映像信号とともに提供される垂直同期信号または水平同期信号のうちのいずれか一つの周期に連動してクロック信号を発生させるクロック信号発生器２０と；フライバックトランス１５からのＡＢＬ信号に従って供給される電流を制御し，動画信号の入力時に増幅部５とフライバックトランス１５とから出力される電圧を処理して，ディスプレイ部３の輝度及びコントラストを調節する制御部１０と；を含んで構成される。
【００２４】
本実施形態のディスプレイ装置は，通常使用時より画面を鮮やかに，かつ明るく調節する「動画モード」を選択するための選択部１１を有している。選択部１１は，特別のキーを設けたり，スクリーン表示操作のために設けられた画像調整キーなどを利用することができる。
【００２５】
増幅部５は，直列に連結されたプリアンプ６とメインアンプ７とを含む。プリアンプ６は，低電圧増幅器として，ユーザーの選択に従って映像信号を一定の電圧水準に増幅させる。プリアンプ６は，一般モードと動画モードとに対応する２段階の増幅比率幅を有し，一般モードの増幅比率は従来のプリアンプ６の増幅比率のように約５〜７倍程度であり，動画モードの増幅比率は，約７倍を基準として所定の範囲内で増減される。メインアンプ７は，プリアンプ６で増幅された映像信号をディスプレイ部３に表示できる水準に増幅させ，メインアンプ７での増幅比率は１０倍程度である。
【００２６】
クロック信号発生器２０は，動画モードの選択時に作動し，映像信号の水平同期信号の周期に従ってクロック信号を発生させる第１信号発生部２１と；映像信号の垂直同期信号の周期に従ってクロック信号を発生させる第２信号発生部２２と；を含む。ここで，第１信号発生部２１は，プリアンプ６に伝達されるクロック信号を発生させ，第２信号発生部２２は，プリアンプ６に提供されるクロック信号及びＧ１電圧レベルを調節するためのクロック信号を発生させる。第１信号発生部２１には水平同期信号及び選択部１１を通じた選択信号（ｕ−ＣＯＭ信号）が入力され，第２信号発生部２２には垂直同期信号及び選択部１１を通じた選択信号（ｕ−ＣＯＭ信号）が入力される。
【００２７】
このようなクロック信号発生器２０を作動させる制御部１０は，選択部１１を通じてユーザーが動画モードを選択すると，第１信号発生部２１及び第２信号発生部２２から発生されたクロック信号に従って，プリアンプ６と電子銃のＧ１電圧の電圧レベルとを調節することにより，画面の輝度とコントラストを調節することができる。この時，制御部１０は，映像信号を水平同期信号の周期と，垂直同期信号の周期と，水平及び垂直同期信号の周期と，に従って，それぞれ画面の輝度とコントラストを調節することができる。
【００２８】
まず，水平同期信号の周期に従って映像信号を調節する方法は次の通りである。
【００２９】
水平同期信号の周期に従って映像信号を調節する場合，選択部１１を通じて動画モードが選択されば，第１信号発生部２１は，水平同期信号の周期に従って，クロック信号を発生させる。制御部１０は，第１信号発生部２１で発生するクロック信号に従って水平同期信号の周期に連動して，一般モードに従う増幅比率と動画モードに従う増幅比率を交互に適用するようにプリアンプ６に命令信号を伝達する。即ち，水平同期信号の一周期の間には，動画モードに従う増幅比率を適用して映像信号を増幅し，次周期の間には，一般モードに従う増幅比率を適用して映像信号を増幅する。これによって，図２に示すように，水平同期信号の一周期の間には，水平出力波形の出力電圧ゲインが増加されて，コントラストが強くなり，次周期の間には，水平出力波形の出力電圧ゲインが減少されて，コントラストが弱くなる。
【００３０】
この時，制御部１０は，最初のフレームで，奇数番目の周期に動画モードの増幅比率を適用し，偶数番目の周期に一般モードの増幅比率を適用して，映像信号を増幅する。また，次のフレームでは，奇数番目の周期には一般モードの増幅比率を適用し，偶数番目の周期には動画モードの増幅比率を適用することにより，映像信号を増幅する。このように，全体的に水平同期信号の周期に従って交互に増幅比率を増減させることにより，全体的に画面のコントラストは強くなるが，ディスプレイ装置の各部品に加わる負荷は比較的に小さくなる。
【００３１】
（第２の実施形態）
一方，垂直同期信号の周期に従って映像信号を調節する場合，制御部１０は，第２信号発生部２２を作動させ，第２信号発生部２２からのクロック信号に連動してプリアンプ６に制御信号を提供し，フライバックトランス１５から出力される電圧レベルを調節する。即ち，制御部１０は，垂直同期信号に従ってフライバックトランス１５から出力されるＧ１電圧のレベルとプリアンプ６の増幅比率を調節する。
【００３２】
制御部１０は，一つの垂直同期信号の間には，Ｇ１電圧のレベルが一定以下になるようにフライバックトランス１５を制御し，プリアンプ６が動画モード時の増幅比率で映像信号を増幅するように制御する。これにより，Ｇ１電圧とカットオフ電圧レベルとの間の幅が大きくなって，輝度が減少する一方，水平出力波形の出力電圧ゲインが上昇するので，コントラストが強くなる。
【００３３】
以上のようにコントラストが強くなった垂直同期信号の一周期が完了されて次のフレームに進行すると，制御部１０は，次周期の間には，Ｇ１電圧のレベルが一定以上になるようにフライバックトランス１５を制御し，プリアンプ６で一般モード時の増幅比率で映像信号を増幅するように制御する。これにより，Ｇ１電圧とカットオフ電圧レベルとの間の幅が小さくなって，輝度が増加する一方，水平出力波形の出力電圧ゲインが減少するので，コントラストが弱くなる。
【００３４】
以上のように，第２信号発生部２２だけを動作させて垂直同期信号の周期に従って映像信号を処理すれば，図３に示すように，垂直同期信号の一周期，即ち一つのフレームではコントラストが強くなり，次のフレームでは画面が明るくなる。
【００３５】
（第３の実施形態）
また，水平同期信号と垂直同期信号との周期に従って，映像信号を調節する場合，制御部１０は，第１信号発生部２１と第２信号発生部２２とを全部作動させてクロック信号を発生させる。これにより，制御部１０は，水平同期信号の周期に従って発生する第１信号発生部２１からのクロック信号に連動してプリアンプ６を制御し，垂直同期信号の周期に従って発生する第２信号発生部２２からのクロック信号に連動してフライバックトランス１５から出力されるＧ１電圧レベルを調節する。
【００３６】
即ち，制御部１０は，第１信号発生部２１からのクロック信号に従って，水平同期信号の周期毎にプリアンプ６で一般モードに従う増幅比率と動画モードに従う増幅比率とを交互に適用するように制御する。これにより，プリアンプ６は，水平同期信号の一周期の間には，動画モードに従う増幅比率を適用して映像信号を増幅し，次周期の間には，一般モードに従う増幅比率を適用して映像信号を増幅する。これにより，図４に示すように，水平同期信号の一周期の間には，水平出力波形の出力電圧ゲインが増加してコントラストが強くなり，次周期の間には，一般モードに従う増幅比率を適用して映像信号を増幅することにより，出力電圧ゲインが減少して，コントラストが弱くなる。
【００３７】
これとともに，制御部１０は，第２信号発生部２２からのクロック信号に従ってフライバックトランス１５から出力されるＧ１電圧レベルを調節する。この時，制御部１０は，垂直同期信号ではなく，水平同期信号の周期に従ってフライバックトランス１５からのＧ１電圧のレベルを調節する。制御部１０は，プリアンプ６による出力電圧ゲインが増加してコントラストが強い水平同期信号の一周期の間には，Ｇ１電圧レベルを上昇させて輝度が明るくなりように調節し，出力電圧ゲインが減少してコントラストが弱い周期の間には，Ｇ１電圧レベルを下降させて輝度が暗くなるように調節する。
【００３８】
また，最初のフレームで，奇数番目の水平周期には，出力電圧ゲインを増加させ，Ｇ１電圧レベルを上昇させて，コントラストが強く，輝度が暗くなるように調節し，偶数番目の水平周期には，一般モードの増幅比率を適用して，映像信号を増幅した場合には，制御部１０は次のフレームでは，奇数番目の水平周期には，コントラストが弱く，輝度が明るくなるように調節し，偶数番目の水平周期には，コントラストが強く，輝度が暗くなるように調節する。
【００３９】
図４に示した第３の実施形態では，水平周期に従ってコントラストが強くなるとともに輝度が明るくなるように調節しているが，水平周期に従って交互にコントラストは弱く輝度は明るくなったり，コントラストは強く，輝度は暗くなるようにしてもよい。
【００４０】
以上のように，本実施形態は，水平同期信号または垂直同期信号の周期に従って，クロック信号を発生するクロック信号発生器２０を設け，クロック信号発生器２０からのクロック信号に連動して，プリアンプ６の増幅比率とフライバックトランス１５のＧ１電圧レベルとを制御することにより，コントラストと輝度を垂直同期信号または水平同期信号の周期に従って交互に調節することができる。これにより，動画モードの選択時，画面が全体的にコントラストが強く，明るくように調節することができる。また，コントラストと輝度を水平同期信号または垂直同期信号の周期に従って交互に調節することにより，ディスプレイ装置の回路及び部品に加わる負荷を防止することができる。これにより，従来のコントラストと輝度の調節によるディスプレイ装置の寿命短縮を防止することができるようになる。
【００４１】
上記第１〜第３の実施形態では，映像信号を水平同期信号に従って調節するために，プリアンプ６の増幅比率を調節したが，ＡＢＬ回路を用いて増幅度を調節することもできる。
【００４２】
以上，添付図面を参照しながら本発明のディスプレイ装置の好適な実施形態について説明したが，本発明はこれらの例に限定されない。いわゆる当業者であれば，特許請求の範囲に記載された技術的思想の範疇内において各種の変更例または修正例に想到し得ることは明らかであり，それらについても当然に本発明の技術的範囲に属するものと了解される。
【００４３】
【発明の効果】
以上示したように，本発明によると，動画信号を明るくかつ鮮やかに表示することができ，しかもディスプレイ装置の寿命短縮を防止することができる。
【図面の簡単な説明】
【図１】本実施形態によるディスプレイ装置の構成図である。
【図２】図１のディスプレイ装置を通じた動画モードの，第１の実施形態による映像信号の出力波形を示したグラフである。
【図３】図１のディスプレイ装置を通じた動画モードの，第２の実施形態による映像信号の出力波形を示したグラフである。
【図４】図１のディスプレイ装置を通じた動画モードの，第３の実施形態による映像信号の出力波形を示したグラフである。
【図５】従来のディスプレイ装置の構成図である。
【図６】従来のディスプレイ装置の映像信号の出力波形を示したグラフである。
【符号の説明】
３，５３    ディスプレイ部
５    増幅部
６，５６    プリアンプ
７，５７    メインアンプ
１０，６０  制御部
１１  選択部
１５，６５  フライバックトランス
２０  クロック信号発生器
２１  第１信号発生部
２２  第２信号発生部
５０  コンピュータ
【図１】
0003591644.tif 000002
【図２】
0003591644.tif 000003
【図３】
0003591644.tif 000004
【図４】
0003591644.tif 000005
【図５】
0003591644.tif 000006
【図６】
0003591644.tif 000007